(57)【要約】【課題】例えばＨＡＣＣＰなどの検査指示を確実に実行し、これによって正しく実績管理が行える情報処理装置、計量管理システム、及びプログラムを提供すること。【解決手段】計量作業の指示データを受付ける受付手段（ステップＳＴ１−１）と、指示データに検査指示があるか否かを判定する判定手段（ステップＳＴ１−３）と、検査指示の結果を入力する入力手段（ステップＳＴ１−４で表示される検査指示画面Ｇ１４）とを備え、判定手段で検査指示があるとき（ステップＳＴ１−３の「Ｙ」）は、入力手段を有効にする（ステップＳＴ１−４）。【選択図】図１９
2020095614.tif 000002
【特許請求の範囲】
【請求項１】
作業の指示データを受付ける受付手段と、
前記指示データに検査指示があるか否かを判定する判定手段と、
前記検査指示の結果を入力する入力手段と、を備え、
前記判定手段で前記検査指示があるときは、前記入力手段を有効にすることを特徴とする情報処理装置。
【請求項２】
前記検査指示に従って、検査項目を入力可能に表示する表示手段を備えることを特徴とする請求項１に記載の情報処理装置。
【請求項３】
前記検査指示を保留する保留手段を備えることを特徴とする請求項１又は２に記載の情報処理装置。
【請求項４】
前記指示データに検査指示があるときは、当該検査指示に対して入力された検査結果を出力し、一方、前記検査指示を保留したときは、保留したことを前記検査結果に代えて出力する出力手段を備えることを特徴とする請求項３に記載の情報処理装置。
【請求項５】
センサー装置と通信する通信手段を備え、前記センサー装置の取得データを受信する受信手段を備えることを特徴とする請求項１乃至請求項４に記載の情報処理装置。
【請求項６】
計時手段を備え、前記センサー装置に温度計が含まれる場合、前記検査指示による温度の範囲と計測時間に基づいて温度測定し、当該検査指示に適合しないときに、前記検査に適合しなかった旨を出力することを特徴とする請求項５に記載の情報処理装置。
【請求項７】
計量作業の指示データを受付ける受付手段と、
前記指示データに検査指示が含まれているか否かを判定する判定手段と、
前記受付手段にて受付けた前記指示データに従って計量作業を実施したことを宣言する宣言手段とを備え、
前記指示データに検査指示が含まれているときは、前記宣言手段による宣言を保留または無効にして、前記検査指示に対する検査結果を入力させ、
前記指示データに検査指示が含まれていないときは、前記宣言手段による宣言を有効にすることを特徴とする計量装置。
【請求項８】
計量装置と、当該計量装置よりも上位の上位端末とを備える計量管理システムであって、
前記計量装置は、
計量作業の指示データを受付ける受付手段と、
前記指示データに検査指示が含まれているか否かを判定する判定手段と、
前記受付手段にて受付けた前記指示データに従って計量作業を実施したことを宣言する宣言手段とを備え、
前記指示データに検査指示が含まれているときは、前記宣言手段による宣言を保留または無効にして、前記検査指示に対する検査結果を入力させ、
前記指示データに検査指示が含まれていないときは、前記宣言手段による宣言を有効にすることを特徴とする計量管理システム。
【請求項９】
コンピュータを計量制御を実行する装置として機能させるプログラムであって、
計量作業の指示データを受付ける受付ステップと、
前記指示データに検査指示が含まれているか否かを判定する判定ステップと、
前記受付ステップにて受付けた前記指示データに従って計量作業を実施したことを宣言する宣言ステップと、
前記指示データに検査指示が含まれているときは、前記宣言を保留または無効にして前記検査指示に対する検査結果を入力するステップと、
前記指示データに検査指示が含まれていないときは、前記宣言を有効にするステップと、
を有することを特徴とするプログラム。
【発明の詳細な説明】
【技術分野】
【０００１】
本発明は、食品工場（食品製造、食品加工）などにおいて好適な工程管理を実行できる情報処理装置、計量管理システム、及びプログラムに関するものである。
【背景技術】
【０００２】
米飯・総菜・加工食品などを製造する食品工場（例えば、コンビニエンスストアの弁当などの製造工場であるベンダー工場や、スーパーマーケットの生鮮食品の製造拠点であるパックセンターやプロセスセンターなど）においては、製品を製造するためのレシピ管理（食材展開）が行われ、注文や生産計画に応じて、原料（一部加工品あり）・包材・備品などの材料の入荷受入れや倉庫からの出庫、各工程での作業指示、各工程への出庫指示、炊飯・調理指示、などが行われ、さらに盛付や包装、ラベリング（米飯・総菜工場などは包装値付け、専用容器や包材使用の場合は製造日・消費、賞味日などを印字する）された後、出庫・製品倉庫への移動が行われる。
【０００３】
その際、各工程において様々な作業指示が行われ、原料（食材・調味料など）を投入単位で計量する作業指示（投入計量指示）や、複数の原料を配合する配合計量などの作業指示（配合計量指示）も行われている。
【０００４】
指示の方法は、従来、紙媒体の指示書が多く用いられていたが、最近では、食品衛生・ＨＡＣＣＰ・トレイサビリティ管理などの要求が増し、システム化による作業指示と実績収集・管理・モニタリングなどが求められている。
【０００５】
ここでＨＡＣＣＰ（Hazard Analysis Critical Control Point）は、食品の安全性を確保するために開発された食品の衛生管理の方式であり、危害分析重要管理点という。ＨＡＣＣＰは、最終食品を検査する方式では危害を十分に防止できにくくなっていることから、食品製造工程中に危害防止につながる重要管理点を監視・記録していく方式である。即ち、原材料の受け入れから最終製品までの各工程に、微生物による汚染、金属の混入などの危害を予測した上で、危害の防止につながる特に重要な工程を継続的に監視・記録する工程管理方法である。
【先行技術文献】
【特許文献】
【０００６】
【特許文献１】特開２０１６−１５３７４２号公報
【発明の概要】
【発明が解決しようとする課題】
【０００７】
そこで、重要管理点に設定された工程や作業において、いかに検査を効率的に漏れなく実施することが重要となる。
【０００８】
また、実績データの収集・管理の面でも適切に検査を行うことが求められている。
【０００９】
本発明は上述の点に鑑みてなされたものでありその目的は、例えば、作業指示とＨＡＣＣＰなどの検査指示を確実に実行し、これによって正しく実績管理が行える情報処理装置、計量管理システム、及びプログラムを提供することにある。
【課題を解決するための手段】
【００１０】
本発明にかかる情報処理装置は、作業の指示データを受付ける受付手段と、前記指示データに検査指示があるか否かを判定する判定手段と、前記検査指示の結果を入力する入力手段と、を備え、前記判定手段で前記検査指示があるときは、前記入力手段を有効にすることを特徴としている。
本発明によれば、指示データに検査指示が含まれているときに、入力手段を有効にして検査指示の結果を入力できる構成としたので、確実に、検査指示に対する検査結果を入力させることができる。
例えば、ＨＡＣＣＰの検査項目を検査指示とした場合は、入力手段を有効にすることで、上記検査項目を確実に入力させることができる。
【００１１】
また本発明は、上記特徴に加え、前記検査指示に従って、検査項目を入力可能に表示する表示手段を備えることを特徴としている。
これによって、操作者は、検査項目を容易に認識することができる。検査項目（複数ある場合もある）は、表示手段に、例えばポップアップ画面または全画面を利用して「検査結果入力欄」のように表示して行うことが好ましい。
温度センサーなどの通信可能な機器からの入力の場合は、自動で数値を入力し表示手段に表示するように構成してもよい。また官能検査（色・匂い・味など）などのように、自動で入力できない場合は、例えば「検査結果入力欄」に合格・不合格欄を設け、これらの欄に手入力を行うなどすることで、容易に判定結果を入力することができる。また不合格のときに、不合格ラベルを発行し、再度指示データのフラグを実施済みから未実施にするなどして再作業を促すこともできる。
【００１２】
また本発明は、上記特徴に加え、前記検査指示を保留する保留手段を備えることを特徴としている。
温度センサーの故障などで入力できない場合や、官能検査を後の作業で行いたいような場合は、これを保留（スキップ）することができる。当該スキップした未入力データは、別途パソコンやモバイル端末で入力することもできる。例えば検査指示に係る検査の全部または一部を、計量作業を行う計量装置以外の別の装置で行うような場合は、当該検査指示に係る検査の全部または一部を除く計量作業をまとめて計量装置で行い、その後、未実施の検査指示に係る検査をまとめて行うことも可能になる。
【００１３】
また本発明は、上記特徴に加え、前記指示データに検査指示があるときは、当該検査指示に対して入力された検査結果を出力し、一方、前記検査指示を保留したときは、保留したことを前記検査結果に代えて出力する出力手段を備えることを特徴としている。
出力の方法は、自装置の表示画面への表示、印字部による印刷、上位装置への送信などが含まれる。
これによって、検査結果と、検査結果を保留したこととを、何れも操作者に明確に認識させることができる。
【００１４】
また本発明は、上記特徴に加え、センサー装置と通信する通信手段を備え、前記センサー装置の取得データを受信する受信手段を備えることを特徴としている。
これによって、センサー装置からの取得データの入力漏れや入力ミスを防止できる。
また本発明は、計時手段を備え、前記センサー装置に温度計が含まれる場合、前記検査指示による温度の範囲と計測時間に基づいて温度測定し、当該検査指示に適合しないときに、前記検査に適合しなかった旨を出力することを特徴としている。
これによって、検査指示による温度の範囲と計測時間に基づいた温度測定を確実に実行させることができる。
【００１５】
また本発明にかかる情報処理装置は、計量作業の指示データを受付ける受付手段と、前記指示データに検査指示が含まれているか否かを判定する判定手段と、前記受付手段にて受付けた前記指示データに従って計量作業を実施したことを宣言する宣言手段とを備え、前記指示データに検査指示が含まれているときは、前記宣言手段による宣言を保留または無効にして、前記検査指示に対する検査結果を入力させ、前記指示データに検査指示が含まれていないときは、前記宣言手段による宣言を有効にすることを特徴としている。
本発明によれば、指示データに検査指示が含まれているときに、当該検査指示に対する検査結果を入力しない場合は、計量作業を実施したことを宣言しないので、計量作業を完了できない。このため、確実に、検査指示に対する検査結果を入力させることができる。
例えば、ＨＡＣＣＰの検査項目を検査指示としてこれが未入力の場合は、計量完了実行操作を無効にすることができ、上記検査項目を確実に入力させることができる。
【００１６】
また本発明は、計量装置と、当該計量装置よりも上位の上位端末とを備える計量管理システムであって、前記計量装置は、計量作業の指示データを受付ける受付手段と、前記指示データに検査指示が含まれているか否かを判定する判定手段と、前記受付手段にて受付けた前記指示データに従って計量作業を実施したことを宣言する宣言手段とを備え、前記指示データに検査指示が含まれているときは、前記宣言手段による宣言を保留または無効にして、前記検査指示に対する検査結果を入力させ、前記指示データに検査指示が含まれていないときは、前記宣言手段による宣言を有効にすることを特徴としている。
【００１７】
また本発明は、コンピュータを計量装置として機能させるプログラムであって、計量作業の指示データを受付ける受付ステップと、前記指示データに検査指示が含まれているか否かを判定する判定ステップと、前記受付ステップにて受付けた前記指示データに従って計量作業を実施したことを宣言する宣言ステップと、前記指示データに検査指示が含まれているときは、前記宣言を保留または無効にして前記検査指示に対する検査結果を入力するステップと、前記指示データに検査指示が含まれていないときは、前記宣言を有効にするステップと、を有することを特徴としている。
【発明の効果】
【００１８】
本発明によれば、ＨＡＣＣＰなどに基づく検査項目の検査指示に対する検査結果を確実に入力させることができて正しい計量を行うことができる。
【図面の簡単な説明】
【００１９】
【図１】計量管理システム１１０の一例を示す概略ブロック構成図である。
【図２】計量装置１の斜視図である。
【図３】計量装置１の構成を示すブロック図である。
【図４】メインメニュー画面Ｇ１を示す図である。
【図５】担当者選択画面Ｇ２を示す図である。
【図６】言語設定画面Ｇ３を示す図である。
【図７】担当者選択画面Ｇ２を示す図である。
【図８】製造指示画面Ｇ４を示す図である。
【図９】便ナンバー設定画面Ｇ５を示す図である。
【図１０】得意先設定画面Ｇ６を示す図である。
【図１１】製造部門設定画面Ｇ７を示す図である。
【図１２】製造指示画面Ｇ４を示す図である。
【図１３】投入計量画面Ｇ８を示す図である。
【図１４】投入計量画面Ｇ８を示す図である。
【図１５】投入計量画面Ｇ８を示す図である。
【図１６】投入計量画面Ｇ８を示す図である。
【図１７】投入計量画面Ｇ８を示す図である。
【図１８】投入計量画面Ｇ８を示す図である。
【図１９】計量作業の概略動作フロー図である。
【図２０】投入計量画面Ｇ８を示す図である。
【図２１】投入計量画面Ｇ８を示す図である。
【図２２】投入計量画面Ｇ８を示す図である。
【図２３】投入計量画面Ｇ８を示す図である。
【図２４】投入計量画面Ｇ８を示す図である。
【図２５】プリセット風袋画面Ｇ９´を示す図である。
【図２６】出来高計量画面Ｇ１１を示す図である。
【図２７】親品目計量画面Ｇ１２を示す図である。
【図２８】実績訂正画面Ｇ１３を示す図である。
【図２９】製造指示画面Ｇ４を示す図である。
【発明を実施するための形態】
【００２０】
食品工場での製造指示は、製造する品目と量・数量に応じて、当該品目の食材展開マスタから必要な原材料・半製品や調理方法などを抽出し、原料倉庫からの出庫指示書、調理指示書、炊飯指示書、盛付指示書、包装値付指示書などが生成されて紙媒体やディスプレイなどに表示して行われる。
【００２１】
また、原材料（原料・包材・備品などを含む）や半製品（加工品・調理品など、調理工程で調理されたもので最終製品ではないもの）などは適宜計量作業が行われる。計量作業は、原材料や半製品の数量、重量、容量などを、いずれかの単位（ｇ、ｋｇ、ポンド、ｍｌ、ｌ、袋、本、個、・・・、必ず質量であるわけではない）を用いて指示することによって行われる。また、調理鍋・釜などへの投入指示（鍋・釜にロードセルを取り付ける場合もある）や投入する原料・半製品などの配合指示などの作業指示も行われる。また、原料や半製品などは出庫作業時、用紙やラベルなどに用途や出庫、移動先が示される。各工程に出庫、移動された原料および半製品は各々作業指示に応じて使用される。
【００２２】
食品工場での製造工程は、例えば、製造指示→調理→盛付→計量値付け→包装ラベリング→仕分作業→出荷、のような工程が行われる。本発明は、検査が行われる工程であれば、上記何れの工程にも適用できる。以下の説明では、調理工程に本発明に係る情報処理装置（以下「計量装置」という）を使用した場合の例を説明する。図１は本発明の一実施形態にかかる計量装置１（１−１，１−２）を用いて構成される計量管理システム（工程管理システム、生産管理システム）１１０の一例を示す概略ブロック構成図である。同図に示すように、計量管理システム１１０は、工程端末コントローラ１３０と、工程端末コントローラ１３０の下位にＬＡＮ１４０を介して接続される無線温度計親機１５１、無線温度計１５３と、計量装置（計量値付け装置、工程管理端末ともいう）１−１，１−２などによって構成されている。工程端末コントローラ１３０の上位には、ＬＡＮ１２０を介してホストコンピュータ１００が接続されている。
【００２３】
ホストコンピュータ１００は、食品工場に設置された工程管理システム１１０全体を管理するコンピュータであり、各製造工程への製造指示ファイル、製造実績ファイル、モニタリング指示ファイル、モニタリング実績ファイル、各マスタファイルなどを記憶し、各工程管理システム１１０の工程端末コントローラ１３０に、適宜情報を送信し、また各工程管理システム１１０の工程端末コントローラ１３０から各種情報を受信する。
【００２４】
工程端末コントローラ１３０は、各計量装置１−１，１−２に対して、製造指示データや製造実績データやモニタリング指示データやモニタリング実績データやマスタデータなどを送受信したり、管理を行ったりするＦＴＰサーバである。
【００２５】
無線温度計親機１５１は、作業場の室温などを測定する無線温度計１５３と無線によって送受信可能に接続されており、当該温度データは、工程端末コントローラ１３０に転送される。場合によっては、直接計量装置１−１，１−２に転送してもよい。
【００２６】
図２は本発明の一実施形態にかかる計量装置（情報処理装置、工程管理端末、計量値付け装置、商品データ処理装置でもある）１の斜視図である。この計量装置１は、米飯・総菜・加工食品などを製造する食品製造業、例えば、コンビニエンスストアの弁当などの製造工場や、スーパーマーケットの生鮮食品の製造拠点（パックセンターやプロセスセンター）などに設置される。同図に示すように、計量装置１は、基台部３の上面に、表示手段５とキー操作部７とを設置し、また基台部３の前面にラベル発行口１１を設置し、さらに商品計量用の第１のはかり９をケーブル（無線でも良い）で接続して構成されている。さらに図１に示すように、一方の計量装置１−１には、別途有線温度計１５５が接続され、もう一方の計量装置１−２には第２のはかり１５７が接続されている。なお、有線温度計１５５は有線であるが、無線としても良い。即ち、両計量装置１−１，１−２は何れも第１のはかり９を接続しているが、有線温度計１５５と第２のはかり１５７は、必要に応じて接続される。
【００２７】
図３は上記計量装置１の構成を示すブロック図である。計量装置１は、制御部２０と、第１のはかり９と、印字部４０と、操作部５０と、スキャナ（読取部）６０とを備え、また必要に応じて、第２のはかり１５７や有線温度計１５５を備えている。第１，第２のはかり９，１５７は内部にロードセルを備え、商品の重量を計量する。この例では、第１のはかり９と第２のはかり１５７は、秤量が異なるはかりとしており、第１のはかり９は３０ｋｇ計量用、第２のはかり１５７は６ｋｇ計量用としている。印字部４０は、ラベルの印字を行い、印字したラベルを図２に示すラベル発行口１１から排出（発行）する。操作部５０はキー操作部７と、表示手段（操作表示部）５（５ａ，５ｂ）とを備える。キー操作部７はテンキーや印字キーなどを備える。表示手段５は液晶表示器（出力手段）５ａにタッチパネル５ｂが積層された構造となっており、同一面でデータの表示と入力とができるようになっている。液晶表示器５ａは各種データの表示を行う。タッチパネル５ｂは操作者の指が触れると、触れた位置を検出し、検出した位置に応じた入力を受け付ける。スキャナ６０は、バーコード等の情報を読み取る。
【００２８】
制御部２０は、ＣＰＵ２１と、はかり制御部２２と、印字制御部２３と、操作制御部２４と、表示制御部２５と、ＲＯＭ２６と、ＲＡＭ２７と、読取制御部２８と、温度制御部２９とを備えている。ＣＰＵ２１はバスなどの通信手段を介して制御部２０が備える各部と相互に接続されている。ＣＰＵ２１は、ＲＯＭ２６が記憶する制御プログラムとＲＡＭ２７が記憶する各種情報を読み出し、読み出した制御プログラムと各種情報とに基づいて各部の制御を行う。またＣＰＵ２１は、必要な情報をＲＡＭ２７に記憶させる。ＲＯＭ２６は、例えば、ＣＰＵ２１において実行される各種プログラム（このプログラムには、下記する図１８の処理をＣＰＵ２１に実行させるプログラムを含んでいる）等を記憶している。はかり制御部２２は、第１のはかり９（計量装置１−２の場合はさらに第２のはかり１５７）が備えるロードセルの制御を行う。印字制御部２３は印字部４０の制御を行う。操作制御部２４は、キー操作部７と、タッチパネル５ｂの制御を行う。タッチパネル５ｂは、液晶表示器５ａに表示された下記する画面Ｇ１〜Ｇ１４等の所定部分をタッチすることで、所望の操作を指示する。表示制御部２５は、液晶表示器５ａの制御を行う。ＲＡＭ２７は、ＣＰＵ２１が用いる情報を記憶する一時記憶領域である。またＲＡＭ２７は、各種ファイルを記憶する記憶手段である。読取制御部２８は、スキャナ６０の制御を行う。温度制御部は、計量装置１−１において接続された有線温度計１５５の出力を検出して必要な制御を行う。
【００２９】
上述のように、第１のはかり９は３０ｋｇ計量器であり、第２のはかり１５７は６ｋｇ計量器である。秤量の異なる第１，第２のはかり９，１５７を１台の計量装置１−２に接続するのは、計量する商品や原料の質量に応じて、用いるはかりを変更する必要がある場合があるからである。計量装置１−２は、第１，第２のはかり９，１５７の内の何れ一方を、手動または自動で切り替えて計量する。なお、３台以上の複数台を１台の計量装置に接続してもよい。はかりの性能を示す分解能という値があり、取引証明用など、1/3,000や1/6,000などである。これは、はかりの秤量に対して最小目量（つまり、最小単位）がいくつになるかを示す。よって、例えば、1/6,000の場合は、秤量３０ｋｇならば、５ｇ、秤量６ｋｇであれば目量１ｇとなる。より細かく計測する必要がある場合は、秤量の小さいはかりを用いるなど指定することもできる。
【００３０】
有線温度計１５５は、調理品の内部温度を測定するための温度計である。例えば、焼き上げたハンバーグに、有線温度計１５５のセンサーを差し込んで、内部の温度が予め定められた所定の温度に達しているか否かを測定する。
【００３１】
なお上記工程管理システム１１０には、さらに、作業者の動作を確認するカメラや、調理品の表面温度を検出するサーモカメラなど、必要に応じて種々の機器を接続してもよい。
また、室温・湿度など外部機器や無線温度計１５３などからのデータを入力することもできる。ＨＡＣＣＰの検査・管理項目で機器やセンサーにより適時に実行されるので、入力漏れや入力ミスを防止できる。
【００３２】
次に、上記計量管理システム１１０の使用例を、主として計量装置１を用いて説明する。
図４は、計量装置１の表示手段５に表示されるメインメニュー画面Ｇ１である。同図に示すように、メインメニュー画面Ｇ１には、使用言語設定ボタンＧ１０１と、計量開始ボタンＧ１０２と、設定ボタンＧ１０３とを表示している。使用言語設定ボタンＧ１０１を押下すれば、下記する担当者選択画面Ｇ２に表示される使用言語を、日本語、英語、中国語、韓国語などに設定することができる。この例では、日本語に設定したこととする。設定ボタンＧ１０３を押下すれば、各種設定を変更することができる。
【００３３】
そして計量を開始するために、計量開始ボタンＧ１０２を押下すれば、図５に示す担当者選択画面Ｇ２が表示される。担当者選択画面Ｇ２の左側には選択担当者欄Ｇ２０１が表示され、右側には選択可能担当者欄Ｇ２０２が表示され、またそれらの下部には製造指示ボタンＧ２０３と廃棄指示ボタンＧ２０４とが表示されている。そして例えば、選択可能担当者欄Ｇ２０２中の「T.Teraoka」の欄を押下すると、図６に示す言語設定画面Ｇ３が表示される。言語設定画面Ｇ３の上部には品名言語選択欄Ｇ３０１が表示され、その下部には画面言語選択欄Ｇ３０２が表示され、さらにその下部には確定ボタンＧ３０３が表示されている。品名言語選択欄Ｇ３０１は、下記する各画面において表示される品名（例えば「鶏肉と根菜の煮物）、「ポテトサラダ」など）を表示する言語を選択するものである。また画面言語選択欄Ｇ３０２は、下記する各画面中に表示される品名以外のタイトルやメッセージ部分など（例えば「製造指示」、「製造日」など）を表示する言語を選択するものである。このように品名と画面の文言の両者において、表示言語を選択可能とすることで、この計量装置１を操作する担当者の使い勝手の良い言語を選択することができる。そして、確定ボタンＧ３０３を押下すると、図５に示す選択担当者欄Ｇ２０１の「担当者１」の欄に、「T.Teraoka」が表示される。同様に、この計量装置１を操作する担当者を２名（この例では「K.Tanaka」と「工場長」）、それぞれ同様の操作によって指定すると、図７に示す担当者選択画面Ｇ２になる。この例では、上記３人が担当者に選択されたものとする。なお、担当者の選択は、選択可能担当者欄Ｇ２０２を押下する方法の他に、例えば、担当者自身の有する名札に表示されたコード番号をスキャナ６０によって読み取ることで行ったり、キー操作部７を用いて担当者自身のコード番号を入力したりすることで行ってもよい。また、選択できる担当者数を制限（例えば４人まで）しても良い。
【００３４】
次に、図７に示す担当者選択画面Ｇ２において、製造指示ボタンＧ２０３を押下すると、図８に示す製造指示画面Ｇ４が表示される。製造指示画面Ｇ４は、何れの担当者が何れの商品を何れの条件で製造を行うかの製造指示を行うための画面である。製造指示画面Ｇ４には、担当者選択用タブＧ４０１、詳細情報欄Ｇ４０２、製造内容欄Ｇ４０３、実績訂正指示ボタンＧ４０４などが表示されている。担当者選択用タブＧ４０１は、前記選択した複数の担当者の内の誰が製造を行うかを指示するタブであり、これからこの計量装置１を使用しようとする担当者のタブにタッチする。この例の場合は「T.Teraoka」を担当者としている。詳細情報欄Ｇ４０２は、指定する便（第１便や第２便など）や、製造した商品を納入する得意先（ＡチェーンやＢマーケットなど）や、製造部門（現在この計量装置１が設置されている部門であって、例えば調理部門や盛付部門など）などを選択するための欄である。製造内容欄Ｇ４０３は、これから製造しようとする商品を選択するための欄である。実績訂正指示ボタンＧ４０４は、例えば商品を作り過ぎた場合に、製造実績を訂正するような場合にこのボタンを押下して、過去の実績を訂正するのに使用する。
【００３５】
そしてまず製造指示画面Ｇ４において、詳細情報欄Ｇ４０２中の「便Ｎｏ．」の部分を押下すると、図９に示す便ナンバー設定画面Ｇ５が表示される。便ナンバー設定画面Ｇ５には、便ナンバー指定欄Ｇ５０１と、便ナンバー入力指定欄Ｇ５０２とが表示されている。いずれの欄Ｇ５０１，Ｇ５０２によっても、便ナンバーを指定できる。例えば、便ナンバー指定欄Ｇ５０１中の「0001 １便」の部分を押下するか、便ナンバー入力指定欄Ｇ５０２中の「1」→「Enter」を押下することで、「第１便」を指定できる。
なお、「便Ｎｏ．」は、納品先への出荷便単位であり、「第1便」「第２便」や「朝便」「昼便」、「臨時便」などがあり、通常、製造指示を行うための区分である。
【００３６】
上記「Enter」の押下で図８の製造指示画面Ｇ４に戻って（このとき、製造指示画面Ｇ４の詳細情報欄Ｇ４０２中の「便Ｎｏ．」の表示は、「第１便」になっている）、次に、詳細情報欄Ｇ４０２中の「得意先」の部分を押下すると、図１０に示す得意先設定画面Ｇ６が表示される。得意先設定画面Ｇ６には、得意先指定欄Ｇ６０１と、得意先入力指定欄Ｇ６０２とが表示されている。いずれの欄Ｇ６０１，Ｇ６０２によっても、得意先を指定できる。例えば、得意先指定欄Ｇ６０１中の「0001 Ａチェーン」の部分を押下するか、得意先入力指定欄Ｇ６０２中の「0001」→「Enter」を押下することで、「Ａチェーン」を指定できる。
【００３７】
上記「Enter」の押下で図８の製造指示画面Ｇ４に戻って（このとき、製造指示画面Ｇ４の詳細情報欄Ｇ４０２中の「得意先」の表示は、「Ａチェーン」になっている）、次に、詳細情報欄Ｇ４０２中の「製造部門」の部分を押下すると、図１１に示す製造部門設定画面Ｇ７が表示される。製造部門設定画面Ｇ７には、製造部門指定欄Ｇ７０１と、製造部門入力指定欄Ｇ７０２とが表示されている。いずれの欄Ｇ７０１，Ｇ７０２によっても、製造部門を指定できる。例えば、製造部門指定欄Ｇ７０１中の「0001 調理」の部分を押下するか、製造部門入力指定欄Ｇ７０２中の「0001」→「Enter」を押下することで、「調理」を指定できる。
【００３８】
このように詳細情報欄Ｇ４０２中の必要項目を全て指定すれば、製造指示画面Ｇ４は図１２に示す状態になる。この製造指示画面Ｇ４の製造内容欄Ｇ４０３には、前記詳細情報欄Ｇ４０２で指定した条件に合致する商品の一覧が表示される。製造内容欄Ｇ４０３には、便数（この例の場合は第１便）と、商品名と、製造量及びバッチの回数と、単位と、製造予定時間とが表示される。そしてこの例において、製造内容欄Ｇ４０３中の最も上の欄に記載されている商品「鶏肉と根菜の煮物」を製造しようとする場合は、当該商品「鶏肉と根菜の煮物」の欄の部分を押下する。
【００３９】
ここで、製造内容欄Ｇ４０３は、この計量装置１において計量作業の指示データを受付ける受付手段であり、商品「鶏肉と根菜の煮物」部分の押下は、その受付操作である。受付ける指示データは、前記工程端末コントローラ１３０から計量装置１のＲＡＭ２７に入力（受信）される。または予め工程端末コントローラ１３０からＲＡＭ２７に入力しておいてもよい。この指示データは、主として当該商品の製造工程（製造指示）にかかる内容であるが、製造する商品・半製品によっては、検査指示のデータが含まれている場合がある。検査指示とは、食品の製造工程中に、微生物汚染や金属の混入などの危害の防止につながる特に重要な検査（例えば食中毒や異物混入などの虞の検査）について、継続的に監視・記録を指示し、食べ物の安全性を確保するものである。この例では、仮に、商品「鶏肉と根菜の煮物」の製造工程において、下記する「あく抜き済みこんにゃく」の官能検査（色・匂い・味など）が、危害の防止につながる特に重要な検査であると仮定する。従って、当該検査指示の内容についても指示データの一部としてＲＡＭ２７に記憶する。
【００４０】
これによって、図１３に示す投入計量画面Ｇ８になる。なおこの投入計量画面Ｇ８を表示する前に、完成した商品「鶏肉と根菜の煮物」のイメージ写真を表示し、その指定が間違いでないか否かを確認したり、また完成品のイメージを把握したりするようにしても良い。
【００４１】
投入計量画面Ｇ８には、製造商品基本情報表示欄Ｇ８０１、投入品目欄Ｇ８０２、投入品目基本情報表示欄Ｇ８０３、計量欄Ｇ８０４などが表示されている。製造商品基本情報表示欄Ｇ８０１には、製造する商品に関する基本情報、例えばコード番号、商品名、便数、製造予定時刻などが記載される。投入品目欄Ｇ８０２には、投入計量を行う各原材料の名称、指示数（重量や個数など）、実績数、単位などが表示される。この例の場合、バッチ数は３つ（０００１，０００２，０００３）であるが、図１３ではその一部が表示されている。具体的に図１３で示されているのは、バッチ０００１については、「あく抜き済みこんにゃく」３キロと「下ゆで済み人参」５キロと「下ゆで済み里芋」４キロであり、バッチ０００２については、「あく抜き済みこんにゃく」４キロと「下ゆで済み人参」５キロと「下ゆで済み里芋」４キロである。図１３では未だ原料の投入が行われていないので、各実績値は０になっている。投入品目基本情報表示欄Ｇ８０３には、投入する品目（原料）に関する基本情報、例えば投入品目名、バッチ番号、製造日、工程（当該工程に要する時間、例えば０．５なら３０分）、指示重量（投入が要求される品目の重量）などが記載される。計量欄Ｇ８０４には、風袋質量（TARE）、計量質量（WEIGHT）、合計質量（TOTAL WEIGHT）などが表示される。計量欄Ｇ８０４の下部には、計量終了指示ボタンＧ８０５などが表示されている。
【００４２】
図１４は、計量装置１に、第１のはかり９の他に第２のはかり１５７を接続した場合の投入計量画面Ｇ８を示す図である。この図において前記図１３に示す投入計量画面Ｇ８と相違する点は、第１のはかり９用の計量終了指示ボタンＧ８０５−１の他に、第２のはかり１５７用の計量終了指示ボタンＧ８０５−２を表示した点である。何れのはかりを使用するかは、例えば、計量終了指示ボタンＧ８０５−１、Ｇ８０５−２の隣にある秤量表示部Ｇ８０６−１，Ｇ８０６−２を押下することによって行う。なお、予め作業の指示データ中に、使用するはかりの種類のデータが含まれているときは、前記押下を行わなくても、自動で、使用するはかりに切り替わる構成としても良い（または使用するはかりの計量終了指示ボタンのみを表示してもよい）。
【００４３】
そして例えば、図１３に示す投入計量画面Ｇ８中の投入品目欄Ｇ８０２の最も上覧に表示されているバッチ０００１の「あく抜き済みこんにゃく」の表示部分を選択・押下すれば、図１５に示すように、投入品目基本情報表示欄Ｇ８０３に、当該投入する品目や、指示重量「３．０００ｋｇ」が表示される。なお、投入品目、即ち「あく抜き済みこんにゃく」を選択していないときに、風袋容器が第１のはかり９に載置されたときは、投入計量画面Ｇ８上に、例えば「作業指示を呼び出して下さい」のような報知を行って、投入品目の選択を促してもよい。
【００４４】
これに伴って、計量装置１の第１のはかり９に、例えば質量０・５ｋｇの風袋（ＴＡＲＥ）を乗せ、風袋ボタンＧ８０７を押下して風袋重量を計測・風袋引きした後に、風袋内に投入品目を投入する。このとき、投入前の投入品目を収納している容器などに表示されている当該投入品目の識別情報（バーコードなど）をスキャナ６０によって読み取り、投入品目に誤りがないことを確認することが好ましい。もし誤っていた場合は、エラーを報知する。また投入品目を投入していくとき、指示質量に近づくにつれ、投入計量画面Ｇ８の態様を変更したり、ブザー音を発するなどしたりすることで報知を行ってもよい。そうすることで担当者は投入に慎重になるタイミングを知り得るので作業ミスを回避でき、また作業をスムーズに行える。また、上記風袋引き操作を行わずに投入品目の投入を行ったようなときに、風袋質量が指定風袋容器の質量の閾値内であれば、自動的に風袋引きをしても良い。指定風袋容器の閾値外の場合は風袋間違いの報知や、風袋引きの指示を行なえばよい。
【００４５】
これによって、図１６の投入計量画面Ｇ８に示すように、計量欄Ｇ８０４中の各質量表示欄に、計測された各質量が表示される。計量欄Ｇ８０４中の計量質量及び合計質量が「３ｋｇ」を表示したところで、投入品目の投入を中止し、計量終了指示ボタンＧ８０５を押下する。この計量終了指示ボタンＧ８０５は、前記計量指示に従って計量作業を実施したことを宣言する宣言手段であり、これを押下することでその宣言を行ったことになる。そしてこの宣言が行われた際に、ＣＰＵ２１は、前記指示データ（この例の場合は商品「鶏肉と根菜の煮物」）中に、検査指示（この例の場合は「あく抜き済みこんにゃく」）が含まれているか否かを判定する。ＣＰＵ２１が行うこの判定を判定手段という。
【００４６】
そして、この例の場合は、検査指示が含まれているので、前記宣言手段による宣言、即ち計量終了指示ボタンＧ８０５の押下を保留または無効にし、同時に図１７の投入計量画面Ｇ８に示すように、当該画面の一部に、ポップアップ画面として、検査指示画面Ｇ１４を表示する。検査指示画面Ｇ１４には、検査結果入力指示欄Ｇ１４１と、３種類の検査項目欄Ｇ１４３と、合格ボタンＧ１４５と、不合格ボタンＧ１４７と、検査結果スキップ（保留）欄Ｇ１４９とが表示されている。検査指示画面Ｇ１４を表示する表示手段５は、検査指示に従って検査項目を入力可能に表示する表示手段である。
【００４７】
そして、担当者が各検査指示の内容を、サンプルなどとの比較、五感を用いて確認し、問題ない場合はそれぞれの合格ボタンＧ１４５を押下する。この場合は、図１８に示す投入計量画面Ｇ８に移行し、計量終了指示ボタンＧ８０５中に、「レ点」を表示し、作業が終了したことを表示する。同時に、投入品目欄Ｇ８０２の上記バッチ０００１の「あく抜き済みこんにゃく」の表示部分にも、投入作業が終了したことを示す「レ点」を表示する。即ち、検査指示に対する検査結果を入力し、検査結果が良好な結果のときは宣言手段による宣言が行えるようにしている。検査結果は、必要に応じて、印字部（出力手段）４０などに出力される。これによって、バッチ０００１用の「あく抜き済みこんにゃく」の計量が完了したので、この「あく抜き済みこんにゃく」を風袋ごと（または風袋から移して）、次の工程に移行する。
【００４８】
一方、図１７において、何れかの不合格ボタンＧ１４７が押下された場合は、たとえ計量終了指示ボタンＧ８０５を押下しても、図１８に示す投入計量画面Ｇ８には移行しない。不合格の場合は、例えば印字部４０から不合格ラベルを発行し、不合格の結果を工程端末コントローラ１３０へ送信し、再度指示データのフラグを未実施にするなど再度作業を実施できる状態にする。そうすることで確実に再作業を促すこともできる。不合格となった「あく抜き済みこんにゃく」自体は、これを廃棄、あるいは調理し直しなどを行ってもよい。強制的に廃棄操作画面へ誘導し廃棄実績を生成する、不合格ラベルを発行するなどの所定の操作を行えば次の作業を実施できる状態になる。不合格ラベルは、そのまま廃棄作業指示書として使用することもできる。なお、不合格と判定した段階で、直前の作業結果を破棄データとして自動的に処理しても良い。
【００４９】
一方、検査指示画面Ｇ１４において、検査を行わずスキップ（保留）するために、検査結果スキップ（保留）欄Ｇ１４９を押下したときは、スキップ（保留）したことをＲＡＭ２７などの記憶手段に記憶する。スキップ（保留）したことは、上記検査結果に代えて、印字部４０や、他の装置（例えば検査を行う別の端末など）などに出力してもよい。他の装置に出力した場合は、当該別の装置（例えば携帯端末）において、検査専門の人員が集中して検査を行うこともできる。
なお、保留したことを工程端末コントローラ１３０へ送信することで、当該別の装置へ検査担当のログイン状態に応じて通知を行っても良い。そうすることで検査漏れを防止できる。そのときの出庫・移動先ラベルは「検査指示ラベル」として使用しても良い。さらに、検査内容に応じて次工程での移動を制限してもよい。つまり、次工程で当該原料や半製品を用いる作業を行う場合に作業者へ報知して、操作を保留するなどである。
こうすることで、検査不合格や未検査を確実に防止できる。
【００５０】
図１９は、以上説明した計量作業における指示データの受付けから宣言に至る概略動作フロー図である。前述のように、製造内容欄Ｇ４０３を用いて計量作業の指示データが受付けられた後（ステップＳＴ１−１）、計量装置１による計量作業が行われる（ステップＳＴ１−２）。計量作業が終了したとき、ＣＰＵ２１は、当該指示データに検査指示のデータが含まれているか否かを判断し（ステップＳＴ１−３）、検査指示のデータが含まれていない場合（ステップＳＴ１−３の「Ｎ」）は、計量終了指示ボタンＧ８０５の押下によって、計量作業が実施されたことを宣言する（ステップＳＴ１−８）。一方、検査指示のデータが含まれている場合（ステップＳＴ１−３の「Ｙ」）は、検査指示画面Ｇ１４が表示される（ステップＳＴ１−４）。この検査指示画面Ｇ１４は、検査指示の結果を入力する入力手段でもある。即ち、前記ステップＳＴ１−３の判断手段で検査指示があるときは、この入力手段を有効にしている。そして検査指示画面Ｇ１４の指示に従って検査の結果が入力された場合は、当該検査結果をＲＡＭ２７などの記憶手段に記憶した後（ステップＳＴ１−６）、当該検査結果が合格か否かを判断する（ステップＳＴ１−７）。合格の場合は、計量作業実施の宣言を行い、出庫・移動先ラベルを発行するなどの一連の処理を完了する（ステップＳＴ１−８）。不合格の場合は、廃棄指示ラベルや廃棄処理を強制的に実行するなど前記宣言は制限されてその処理を終了する（ステップＳＴ１−７の「Ｎ」）。ステップＳＴ１−５において、検査結果を入力しないで（ステップＳＴ１−５の「Ｎ」）、スキップ（保留）を選択した場合（ステップＳＴ１−９の「Ｙ」）は、スキップ（保留）したことをＲＡＭ２７などの記憶手段に記憶した後（ステップＳＴ１−１０）、検査指示ラベルや検査指示通知情報など出力後に、計量作業実施の宣言を行う（ステップＳＴ１−８）。なお、次工程では検査未完了の原料や半製品は呼出しを検査内容に応じて制限することもできる。
具体的には、当該工程で実施すべき検査、官能検査の色・匂いなどは加熱処理などで検査ができなくなる場合や、焼き菓子などクリームやチェコレートなどでコーティングすると検査できなくなるなどである。
その時、次工程で作業指示を一覧表示するときに表示態様を変更したり、選択をできないように制御したり、権限管理により誰でも保留できない様にすることで、検査するタイミングを逃すことはない点で効果的である。
【００５１】
次に、前記図１３に示す投入計量画面Ｇ８に戻って、投入計量画面Ｇ８中の投入品目欄Ｇ８０２の上から２欄目に表示されているバッチ０００２の「あく抜き済みこんにゃく」の表示部分を選択・押下して、上記と同様の操作で、当該品目の計量を行うが、投入量が多くて指示された質量の投入品目が１つの風袋に入りきらないような場合は、複数の風袋に分けて投入計量作業を複数回行う必要があるので、その例を説明する。即ちこのような場合は、上記と同様の方法で、まず品目「あく抜き済みこんにゃく」を３ｋｇ投入計量し、計量したものを第１のはかり９から取り除く。バッチ０００２の「あく抜き済みこんにゃく」の指定質量は４ｋｇなので、３ｋｇ投入計量した後の投入計量画面Ｇ８の表示は、図２０に示す状態となる。同図において、投入品目基本情報表示欄Ｇ８０３の指示重量には、「指示−実績  1.000kg」が表示され、残り1.000kgを投入することが指示されている。また、計量終了指示ボタンＧ８０５には、「count1」が表示され、既に１回目の計量を行っていることを示している。次に、上記と同様の操作によって、第１のはかり９に風袋を乗せ、残り１ｋｇの投入品目を投入し、その計量を完了させる。この場合、実績データは２レコードになる。これによって、バッチ０００２用の「あく抜き済みこんにゃく」の計量が完了したので、この「あく抜き済みこんにゃく」を次の工程に移行する。
【００５２】
次に、投入品目欄Ｇ８０２の上から３欄目に表示されているバッチ０００１の「下ゆで済み人参」の表示部分を選択・押下して、この場合は、計量欄Ｇ８０４中の「プリセット風袋ボタン（ＰＴボタン）」を用いて使用する風袋の種類を設定する場合について説明する。
【００５３】
この場合は、バッチ０００１の「下ゆで済み人参」を計量する前に、計量欄Ｇ８０４中の「プリセット風袋ボタン（ＰＴボタン）」を押下する。これによって、図２１に示すように、投入計量画面Ｇ８の左側の面に、プリセット風袋画面Ｇ９が表示される。プリセット風袋画面Ｇ９には、最上欄Ｇ９０１に、直前に使った風袋を使用する場合の選択肢を表示し、第２欄Ｇ９０２に、直前に計量した品目を内蔵する状態の風袋をそのまま使用する場合の選択肢を表示し、第３欄Ｇ９０３に、風袋として大釜（大）を使用する場合の選択肢を表示し、第４欄Ｇ９０４に、風袋として調理釜（中）を使用する場合の選択肢を表示し、第５欄Ｇ９０５に、風袋としてボウル（大）を使用する場合の選択肢を表示している。即ち、プリセット風袋画面Ｇ９は、容器識別情報を入力する画面である。
【００５４】
そして例えば、最上欄Ｇ９０１を押下し、第１のはかり９に載せた風袋が、直前に計量した商品で使用した風袋と同一質量の場合は、これを風袋であると認識し、その後風袋引きをした質量を測定する。また、第２欄Ｇ９０２を押下した後、直前に計量した品目と風袋を合わせた質量と同一質量を検出した場合は、直前に計量した品目と風袋がそのまま載置されていると判断し、その上に別の品目を所定量載せることで、当該別の品目の質量を検出することができる。
【００５５】
この例の場合は、第３欄Ｇ９０３を押下し、第１のはかり９に調理釜（中）を載せると、計量した当該風袋の質量が、調理釜（中）の質量と同一質量の場合は、これを風袋であると認識して風袋引きをし、その後、当該調理釜（中）に「下ゆで済み人参」を５．０００ｋｇ投入すると、図２２に示す投入計量画面Ｇ８が表示される。その後の処理は、上記の説明と同様である。このようにプリセット選択を行えば、実際に載置した風袋の質量（被計量物質量）とプリセット選択した風袋の質量との差が所定の値以下ではないことを検知することで、風袋容器の選択ミスを回避できる。また、先に風袋を第１のはかり９に載置し、その後プリセット風袋画面Ｇ９を表示する場合は、第１のはかり９で計量した風袋の質量の閾値内にある風袋のみをプリセット風袋画面Ｇ９において押下可能に構成したり、該当風袋のみを表示したりしてもよい。即ち計量した風袋の質量に応じて、作業指示を受け付ける風袋の種類を決定するようにしてもよい。例えば、第１のはかり９に載せた風袋の質量が１５ｋｇの場合は、風袋として鍋１０ｋｇは選択できないようにする。この場合、例えば鍋の中に何か残っているか、鍋の種類を間違えている可能性がある。即ち、プリセット選択した場合、正しい風袋容器が載置されたときに、原材料や半製品の投入作業を許可するように構成することができる。
【００５６】
ところで、複数の風袋、即ち複数の欄を押下することで、複数の風袋を同時に使用することもできる。例えば、図２１に示すプリセット風袋画面Ｇ９中の複数の風袋、例えば第３欄Ｇ９０３と第５欄Ｇ９０５を連続して押下して指定した上で、第１のはかり９上に大釜（大）を乗せ、その上にボウル（大）を載せる。この時の状態を図２３の投入計量画面Ｇ８に示す。このとき同図に示すように、プリセット風袋画面Ｇ９の下部に、「３＋５＝５．４００ｋｇ」という風袋の合計質量を表示してその質量を操作者に容易に確認させる。また計量欄Ｇ８０４中の「風袋（TARE）」には、「３＋５  ５．４００ｋｇ」が表示される。そして上記ボウル（大）の中に、「下ゆで済み人参」を指定質量（５．０００ｋｇ）だけ投入し、計量することで、その計量作業を行うことができる。
【００５７】
なお場合によっては、風袋の質量や、投入品目の質量は、計量によらず、数値入力によって設定してもよい。図２４は、そのような場合の例を示している。即ち同図に示すように、投入計量画面Ｇ８の左側の面に、図示しない操作子（メカ―）やキー入力画面表示用ボタンを押下することで、キー入力画面Ｇ１０を表示させ、投入する品目の質量を、キー入力によって入力してもよい。また、このキー入力画面Ｇ１０は、質量入力用であるが、上部の「ＷＥＩＧＨＴ」を例えば「ＴＡＲＥ」に変更することで、風袋の質量を入力することもできる。
【００５８】
図２５は、プリセット風袋画面Ｇ９の代わりに用いられる他のプリセット風袋画面Ｇ９´を示す図である。このプリセット風袋画面Ｇ９´には、その上部に指定風袋記載部Ｇ９０６を表示し、またその下部に風袋選択用欄Ｇ９０７を表示し、さらにその下部に指定中止ボタンＧ９０８と指定確定ボタンＧ９０９とを表示して構成されている。このように構成すれば、指定した風袋やその質量を即座に操作者が認識することができる。
【００５９】
またプリセット風袋画面Ｇ９，Ｇ９´の代わりに、風袋容器に電子タグなどを添付し、載置部にタグリーダーなどを備え、当該電子タグを読み取ることで風袋容器を判別してもよい。
また、投入計量画面Ｇ８に示す「ＨＯＬＤボタン」は、質量値の表示を保持する際に使用するキーである。即ち、第１，第２のはかり９，１５７に載置した被計量物を取り除いても、計量値を表示したままにするためのキーである。
【００６０】
以上の各操作方法を用いて、この例の場合は、バッチ０００３まで投入計量指示があるので、バッチ毎に必要な品目の投入・計量を行い、その後、バッチ毎に調理を行い、バッチ毎に「鶏肉と根菜の煮物」を調理する。そして、投入計量画面Ｇ８の右下にある「出来高計量へ」ボタンＧ８０８を押下する。これによって、図２６に示す出来高計量画面Ｇ１１が表示される。
【００６１】
出来高計量画面Ｇ１１には、製造商品基本情報表示欄Ｇ１１０１、出来高品目欄Ｇ１１０２、出来高品目基本情報表示欄Ｇ１１０３、計量欄Ｇ１１０４、計量終了指示ボタンＧ１１０５などが表示されている。各欄は、前記投入計量画面Ｇ８とほぼ同一の欄を有し、操作方法もほぼ同一なので、それらの詳細な説明は省略する。この例の場合、出来高品目欄Ｇ１１０２には、前記調理後の「鶏肉と根菜の煮物」を、上記投入計量工程で行ったと同様の方法で、バッチ毎、計量を行い、確認する。そしてバッチ毎の計量が完了すると、出来高計量画面Ｇ１１の右下にある「親品目計量へ」ボタンＧ１１０８を押下する。これによって、図２７に示す親品目計量画面Ｇ１２が表示される。
【００６２】
親品目計量画面Ｇ１２には、製造商品基本情報表示欄Ｇ１２０１、親品目欄Ｇ１２０２、親品目基本情報表示欄Ｇ１２０３、計量欄Ｇ１２０４、計量終了指示ボタンＧ１２０５などが表示されている。各欄は、前記投入計量画面Ｇ８とほぼ同一の欄を有し、操作方法もほぼ同一なので、それらの詳細な説明は省略する。この例の場合、親品目欄Ｇ１２０２には、前記出来高計量工程で計量した商品である「鶏肉と根菜の煮物」を、使用する最終製品毎に分けるため、最終製品毎に使用する「鶏肉と根菜の煮物」の質量が表示されている。従って、上記投入計量工程で行ったと同様の方法で、最終製品毎に使用する「鶏肉と根菜の煮物」の計量を行い、振り分ける。振り分けた「鶏肉と根菜の煮物」は、次の盛付工程に移行し、最終製品毎の盛付が行われ、その後、計量値付けが行われ、ラベルが貼付された後、各得意先に向けて出庫される。一方、上記親品目計量画面Ｇ１２において、上記計量が完了すると、親品目計量画面Ｇ１２の右下にある「製造指示へ」ボタンＧ１２０８を押下する。これによって、図８に示す製造指示画面Ｇ４に戻り、次に何れの担当者が何れの商品を何れの条件で製造を行うかの製造指示を行い、上記と同様の操作を繰り返す。
【００６３】
なお、図８に示す製品指示画面Ｇ４中の実績訂正ボタンＧ４０４を押下すると、図２８に示すような実績訂正画面Ｇ１３が表示される。実績訂正画面Ｇ１３は、例えば作り過ぎた品目の製造実績を訂正するような場合に使用する。実績訂正画面Ｇ１３には、製造商品基本情報表示欄Ｇ１３０１、投入品目欄Ｇ１３０２、投入品目基本情報表示欄Ｇ１３０３、実績数表示欄Ｇ１３０４、削除ボタンＧ１３０５、訂正終了ボタンＧ１３０６などが表示されている。そして例えば、投入品目欄Ｇ１３０２中の最上欄の「バッチ０００１  あく抜き済みこんにゃく」の実績を削除する場合は、当該最上欄の「バッチ０００１  あく抜き済みこんにゃく」の部分を押下することで、この図に示すように、投入品目基本情報表示欄Ｇ１３０３に当該投入品目の基本情報を表示させ、次に、削除ボタンＧ１３０５を押下することで、上記最上欄の「バッチ０００１  あく抜き済みこんにゃく」の部分を消去することによって行う。なお、当該実績削除した投入品目を廃棄する場合は、これを計量した後に廃棄することが好ましい。実績訂正の終了は、訂正終了ボタンＧ１３０６を押下することによって行う。
【００６４】
また、担当者を変更などしたい場合は、例えば図１２に示す製造指示画面Ｇ４において、担当者選択用タブＧ４０１中の現在担当している「T.Teraoka」のタブを押下する。これによって、図２９に示すように、「T.Teraoka」のタブの下部に、タブ操作画面Ｇ４０５が表示される。タブ操作画面Ｇ４０５には、言語設定ボタン、交代ボタン、終了ボタンが表示されるので、それらのボタンを押下することで、担当者や画面の言語を変更する画面を表示させて言語を変更したり、担当者を変更する画面を表示させて担当者を変更したりする。担当者選択用タブＧ４０１は、他の画面（例えば投入計量画面Ｇ８など）にも表示されているので、他の各画面を表示した状態においても、同様に変更などすることができる。
【００６５】
なお、上記例では、１台の計量装置１によって、投入計量、出来高計量、親品目計量、を行う場合について説明したが、工程毎に異なる計量装置を設置し、各計量を工程毎に異なる計量装置によって行うように構成してもよい。
【００６６】
上記実施形態では、本発明を、調理工程中の原材料や半製品の計量作業時に用いた場合を説明したが、本発明は、調理工程中の他の作業や、盛付工程や、計量値付け包装ラベリング工程などにおいても同様に適用できる。その際の検査項目としては、例えば、上記官能検査の他に、加熱温度検査、異物混入検査などがある。
【００６７】
例えば、調理工程において、調理した品目（例えばハンバーグ）を計量する場合、当該調理した品目の温度を計量装置１の有線温度計１５５によって計測しなければならない場合が生じる。温度計測は、当該品目による食中毒の虞などを確実に防止する観点から、検査指示による検査項目としている。有害微生物を殺菌するためには、温度と時間の設定が必要となる。
温度の測定箇所は、調理した商品の表面の場合や、内部（中心部分）の場合などがある。このように、指示データに検査指示（温度計測）が含まれているときは、計量終了指示ボタンＧ８０５の押下（宣言手段による宣言）を無効にして、前記検査指示に対する検査結果を入力し、前記検査結果が入力されたときに、前記宣言手段による宣言を行うことで計量修了とする。検査結果の入力は、前記有線温度計１５５のプローブを被検査物に差し込み、検査指示で設定された温度と時間などにより自動的に計量装置１が読み取ることで行う。前記有線温度計１５５が故障している場合や未接続の場合は、事前に登録されている無線温度計１５３の管理番号を操作画面に選択可能に表示しても良い。使用中や故障中など選択できない無線温度計の表記は態様を変えるか非表示にすれば選択ミスも防止できるし、作業時使用した無線温度計の管理番号も記録できる。もちろん、無線温度計が表面温度を検査するものであれば事前に登録されていないので、選択はできないので誤った検査を行うことはない。さらに、計量装置の計時機能を用いて単純に温度測定の開始から設定温度に達する、達成温度から設定された時間継続で検査した後に、検査終了の旨を報知した上で、計量指示ボタンＧ８０５を有効としてもよいし、さらに、質量が安定していれば自動で計量を終了しても良い。
【００６８】
なお、検査項目として温度測定が生じた場合（作業指示に温度計測の指示があった場合）であって温度計が接続されていない場合は、温度計未接続の旨を報知してもよい。また温度データの入力がない場合、出来高データを例えば工程端末コントローラ１３０に送信するときに当該温度データの入力画面を表示してもよい。また調理なべや釜を直接計量している場合などは、加熱データとして調理経過開始・終了時の温度に加えて調理中に目的温度に達した時間を併せてログにしても良い。こうすることでＨＡＣＣＰなどの重要管理工程に必要なデータ取得も併せて行うことができる。なお、温度について不合格の場合、完成品によっては、再加熱で済むものもあるが、再加熱により劣化するようなものは廃棄し、作り直し指示を行うことも必要になる。廃棄方法も多岐にわたり、例えば密封容器へ廃棄、生ごみ容器へ廃棄、洗浄の上廃棄などがある。廃棄方法も詳細な指示ができるので作業ミスや作業漏れは防止できる。これの検査項目、設定値、廃棄方法などは上位システムからのデータにより実行される。なお、当該工程で必要なデータは事前に計量装置に記憶しても良いし、一度実施した作業においては計量装置に記憶する方法でも良い。そうすることでオフライン状態でも作業が行える。作業データはオンライン復旧後に上位システムに送信しても良いし、記憶媒体により受渡しを行っても良い。さらに、レシートやラベル等にオフライン時のデータを出力することもできるので、様々なバックアップ方法がある。
【００６９】
また、投入品目（原料または半製品）の計量作業時に、当該投入品目を投入超過したり、あるいは当該投入品目の在庫がなく指示に応じた量が不足しているときは、当該投入品目の超過・不足に対して他の原料または半製品の投入指示を按分し再計算してもよい。
【００７０】
ところで、ＨＡＣＣＰなどで管理対象となった作業工程では、継続したモニタリング・実績収集が必要になる。検査項目は、温度や異物混入などである。計量工程で「温度」「質量」についてはセンサー検出・データ入力が可能である。異物混入については、Ｘ線検査装置や金属検出機などを用いる。例えば包装工程で被包装物を、Ｘ線検査装置や金属検出機などを用いて検査することや、盛付後やラベリング後の撮像処理により盛付商品忘れ、ラベリング忘れ、日付間違い、印字漏れを検査することなどができる。計量工程では、上述のように、官能検査が用いられる。「色合い」「異臭・匂い」「味見」などのデータは、上記例では担当者の感覚を手入力によって入力したが、その代わりに、例えば、視覚は撮像、聴覚（例えば揚げ物のあがる音など）は録音、味覚は塩分計、嗅覚は匂いセンサー、触覚は硬度計などを用い、自動的（機械的）に検出することも可能である。これらのデータは、付加情報（管理項目）として実績データに付加したり、履歴・ログデータとして取得・管理しても良い。
さらに、合格基準値を事前に記憶しておき、官能検査時に当該合格基準値と比較して検査結果を出力しても良い。具体的には、撮像による検査の場合は、合格の被検査物を撮像して二値化データなどに変換して記憶しておく。合格基準は１つの基準ではなく、複数でもよい。撮像の場合は、二値化データと合格基準データとの類似度の閾値により判定しても良い。複数の合格基準があれば、どの合格基準に類似するか、その類似度により判定する。具体的は、優良、良、可、不合格の場合は、それぞれの基準値への類似度で判定する。装置はＣＣＤカメラなどを用いれば良い。スマートフォンなどの撮像データと連携しても良い。音や匂いの場合は、音源を可視化する装置や、臭気センサーなど、それぞれ数値化したものを基準値にして、類似度により判定すれば良い。その他、最終製品で異常がある場合は、そのような結果に対してどのような検査が必要かを、各工程において、異常が発生する事象を細分化して、それぞれにどのような対策を行うかを事前に決め、これを検査項目とすることが好ましい。また、単なる計量作業に加えて各種センサーとの組合わせで、ＨＡＣＣＰでも求められているデータを提供することも可能である。なお、検査に使用する各種センサーを識別管理することで、検査装置を間違わないようにすることもできる。具体的には、温度検査の場合は内部温度と表面温度で検査装置は異なる可能性があるからである。検査結果のデータテーブルには、各種センサー識別情報が記録される。これにて前述のとおり誤ったセンサー装置での検査も防止できる。
【００７１】
計量装置１は印刷部（印字部）を備える。用途に応じて複数の印刷部を備えることもできる。印刷部から出力されるラベルの種類は、作業や用途に応じてラベルサイズや印字内容を変更できる。具体的にはライナーレスラベルや台紙付き連続用紙は、印字量に応じてラベル長さを適切な長さでオートカッタなどで切断することで自動調整できる。また、発色温度により複数の色で印刷できるものもあるので、検査不合格や廃棄などは特に強調して、赤色など警告文字列やマーク、枠などを印字し通常の印字内容と異なる態様で発行することもできる。検査や指示に対して正確な作業を行ったときは、次工程への出庫・移動先ラベルを発行する。検査不合格や作業ミスにより廃棄されるときは、不合格ラベルや廃棄ラベルを発行することができる。さらに、検査を保留したり、検査専門員の検査が必要な場合など、他の装置で検査を行う場合は、検査指示ラベルを発行することもできる。もちろん、未検査ラベルを誤って、次工程で読取りするとエラー表示となる。また、次工程の操作画面で当該未検査品を含む作業（バッチ）を選択すると同様にエラー表示を行い、操作を制限することもできる。このようにラベルにより作業ミス、作業忘れを防止できる。
さらに、検査結果に応じて対処方法を印字することにより、検査結果による適切な対処が可能となる。
【００７２】
また、上記実施形態に係る計量装置（情報処理装置）１で実行されるプログラムは、ＲＯＭ２６等に予め組み込まれて提供されるものとしているが、これに限られず、インストール可能な形式または実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成しても良い。また、上記実施形態の計量装置１で実行されるプログラムを、インターネット等のネットワークに接続されたコンピュータ上に格納し、ネットワーク経由でダウンロードさせることにより提供するように構成しても良い。また、上記実施形態の計量装置１で実行されるプログラムを、ネットワーク経由で提供又は配布するように構成しても良い。
【００７３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００７４】
１（１−１，１−２）  計量装置（情報処理装置）
３  基台部                              ５  表示手段（操作表示部）
５ａ  液晶表示器（出力手段）            ５ｂ  タッチパネル
７  キー操作部                          ９  第１のはかり
１１  ラベル発行口                      ２０  制御部
２１  ＣＰＵ                            ２２  はかり制御部
２３  印字制御部                        ２４  操作制御部
２５  表示制御部                        ２６  ＲＯＭ
２７  ＲＡＭ                            ２８  読取制御部
２９  温度制御部                        ４０  印字部
５０  操作部                            ６０  スキャナ（読取部）
１００  ホストコンピュータ
１１０  計量管理システム（工程管理システム、生産管理システム）
１２０  ＬＡＮ                          １３０  工程端末コントローラ
１４０  ＬＡＮ                          １５１  無線温度計親機
１５３  無線温度計                      １５５  有線温度計
１５７  第２のはかり                    Ｇ１  メインメニュー画面
Ｇ１０１  使用言語設定ボタン            Ｇ１０２  計量開始ボタン
Ｇ１０３  設定ボタン                    Ｇ２  担当者選択画面
Ｇ２０１  選択担当者欄                  Ｇ２０２  選択可能担当者欄
Ｇ２０３  製造指示ボタン                Ｇ２０４  廃棄指示ボタン
Ｇ３  言語設定画面                      Ｇ３０１  品名言語選択欄
Ｇ３０２  画面言語選択欄                Ｇ３０３  確定ボタン
Ｇ４  製造指示画面                      Ｇ４０１  担当者選択用タブ
Ｇ４０２  詳細情報欄                    Ｇ４０３  製造内容欄
Ｇ４０４  実績訂正指示ボタン            Ｇ５  便ナンバー設定画面
Ｇ５０１  便ナンバー指定欄              Ｇ５０２  便ナンバー入力指定欄
Ｇ６  得意先設定画面                    Ｇ６０１  得意先指定欄
Ｇ６０２  得意先入力指定欄              Ｇ７  製造部門設定画面
Ｇ７０１  製造部門指定欄                Ｇ７０２  製造部門入力指定欄
Ｇ８  投入計量画面                      Ｇ８０１  製造商品基本情報表示欄
Ｇ８０２  投入品目欄                    Ｇ８０３  投入品目基本情報表示欄
Ｇ８０４  計量欄                        Ｇ８０５  計量終了指示ボタン
Ｇ８０５−１，Ｇ８０５−２  計量終了指示ボタン
Ｇ８０６−１，Ｇ８０６−２  秤量表示部  Ｇ８０７  風袋ボタン
Ｇ８０８  「出来高計量へ」ボタン        Ｇ９  プリセット風袋画面
Ｇ９０１  最上欄                        Ｇ９０２  第２欄
Ｇ９０３  第３欄                        Ｇ９０４  第４欄
Ｇ９０５  第５欄                        Ｇ９´  プリセット風袋画面
Ｇ９０６  指定風袋記載部                Ｇ９０７  風袋選択用欄
Ｇ９０８  指定中止ボタン                Ｇ９０９  指定確定ボタン
Ｇ１０  キー入力画面                    Ｇ１１  出来高計量画面
Ｇ１１０１  製造商品基本情報表示欄      Ｇ１１０２  出来高品目欄
Ｇ１１０３  出来高品目基本情報表示欄    Ｇ１１０４  計量欄
Ｇ１１０５  計量終了指示ボタン          Ｇ１１０８  「親品目計量へ」ボタン
Ｇ１２  親品目計量画面                  Ｇ１２０１  製造商品基本情報表示欄
Ｇ１２０２  親品目欄                    Ｇ１２０３  親品目基本情報表示欄
Ｇ１２０４  計量欄                      Ｇ１２０５  計量終了指示ボタン
Ｇ１２０８  「製造指示へ」ボタン        Ｇ１３  実績訂正画面
Ｇ１３０１  製造商品基本情報表示欄      Ｇ１３０２  投入品目欄
Ｇ１３０３  投入品目基本情報表示欄      Ｇ１３０４  実績数表示欄
Ｇ１３０５  削除ボタン                  Ｇ１３０６  訂正終了ボタン
Ｇ１４  検査指示画面                    Ｇ１４１  検査結果入力指示欄
Ｇ１４３  検査項目欄                    Ｇ１４５  合格ボタン
Ｇ１４７  不合格ボタン                  Ｇ１４９  検査結果スキップ（保留）欄
【図１】
2020095614.tif 000003
【図２】
2020095614.tif 000004
【図３】
2020095614.tif 000005
【図４】
2020095614.tif 000006
【図５】
2020095614.tif 000007
【図６】
2020095614.tif 000008
【図７】
2020095614.tif 000009
【図８】
2020095614.tif 000010
【図９】
2020095614.tif 000011
【図１０】
2020095614.tif 000012
【図１１】
2020095614.tif 000013
【図１２】
2020095614.tif 000014
【図１３】
2020095614.tif 000015
【図１４】
2020095614.tif 000016
【図１５】
2020095614.tif 000017
【図１６】
2020095614.tif 000018
【図１７】
2020095614.tif 000019
【図１８】
2020095614.tif 000020
【図１９】
2020095614.tif 000021
【図２０】
2020095614.tif 000022
【図２１】
2020095614.tif 000023
【図２２】
2020095614.tif 000024
【図２３】
2020095614.tif 000025
【図２４】
2020095614.tif 000026
【図２５】
2020095614.tif 000027
【図２６】
2020095614.tif 000028
【図２７】
2020095614.tif 000029
【図２８】
2020095614.tif 000030
【図２９】
2020095614.tif 000031